(57)【要約】【課題】ハンドル軸に釣糸が絡み付くという絡み付き現象を好適に防止する。【解決手段】ハンドル軸７に制動部材を介して摩擦結合された駆動歯車１７と、駆動歯車１７からの駆動力により回転駆動されるスプール６と、ハンドル軸７に螺合された制動力調節体２０と、を備え、制動力調節体２０の回動操作で制動部材を押圧し、駆動歯車１７の摩擦結合力を変更することでスプール６の制動力を調節するようにした魚釣用リールであって、リール本体１からのハンドル軸７の取出部Ｃに、ハンドル軸７の径方向外側へ向けて突出し、ハンドル軸７へ向けて釣糸が移動するのを阻止する鍔部３３が設けられている構成とした。【選択図】図２
2012249546.tif 000002
【特許請求の範囲】
【請求項１】
リール本体の一方の側板に回転自在に支持され、前記リール本体から延出された端部にハンドルが固定されたハンドル軸と、前記ハンドル軸に制動部材を介して摩擦結合された駆動歯車と、前記リール本体の側板間に支持され、前記駆動歯車からの駆動力により回転駆動されるスプールと、前記ハンドル軸に螺合された制動力調節体と、を備え、前記制動力調節体の回動操作で前記制動部材を押圧し、前記駆動歯車の摩擦結合力を変更することで前記スプールの制動力を調節するようにした魚釣用リールであって、
前記リール本体からの前記ハンドル軸の取出部に、当該ハンドル軸の径方向外側へ向けて突出し、当該ハンドル軸へ向けて釣糸が移動するのを阻止する鍔部が設けられていることを特徴とする魚釣用リール。
【請求項２】
前記取出部において前記ハンドル軸に沿って前記リール本体側から前記ハンドル側へ延設された第１のカバー体と、前記取出部において前記ハンドル軸に沿って前記ハンドル側から前記リール本体側へ延設された第２のカバー体と、を備え、
前記第１のカバー体と前記第２のカバー体とは、前記ハンドル軸の径方向に少なくとも一部がオーバーラップしており、
前記鍔部は、オーバーラップする部位において、前記第１のカバー体と前記第２のカバー体とのうち、径方向内側に配置されるカバー体に設けられていることを特徴とする請求項１に記載の魚釣用リール。
【請求項３】
オーバーラップする部位において、径方向内側に配置されるカバー体は前記第１のカバー体であり、径方向外側に配置されるカバー体は前記第２のカバー体であり、
前記鍔部の外径をＤ１、前記第２のカバー体の内径をＤ２、としたときに、
これらの関係が、
Ｄ１  ＜  Ｄ２      である、
ことを特徴とする請求項２に記載の魚釣用リール。
【請求項４】
前記第１のカバー体と前記第２のカバー体とは、前記制動力調節体の回動操作でオーバーラップしない位置に退避可能であることを特徴とする請求項２または請求項３に記載の魚釣用リール。
【請求項５】
前記制動力調節体は、前記リール本体側に向けて突出する操作ノブを有しており、
前記ハンドル軸における前記ハンドルの固定部位を基準として、
前記固定部位から前記第２のカバー体の前記リール本体側の端部までの前記ハンドル軸に沿う長さをＬＡ、
前記固定部位から前記操作ノブの前記リール本体側の端部までの前記ハンドル軸に沿う長さをＬＢとしたときに、
これらの長さの関係が、
ＬＡ  ＜  ＬＢ      である、
ことを特徴とする請求項２から請求項４のいずれか１項に記載の魚釣用リール。
【請求項６】
リール本体に回転自在に支持され、前記リール本体から延出された端部にハンドルが固定されたハンドル軸を有する魚釣用リールにおいて、
前記リール本体からの前記ハンドル軸の取出部に、当該ハンドル軸の径方向外側へ向けて突出し、当該ハンドル軸へ向けて釣糸が移動するのを阻止する鍔部が設けられていることを特徴とする魚釣用リール。
【請求項７】
前記ハンドル軸には、円筒状のハンドルスタンドが介設されており、
前記鍔部は、前記取出部において前記ハンドルスタンドの縁部に対応するようにして前記リール本体側に設けられていることを特徴とする請求項６に記載の魚釣用リール。
【発明の詳細な説明】
【技術分野】
【０００１】
本発明は、魚釣用リールに関する。
【背景技術】
【０００２】
従来周知のように、リール本体の側板間にスプールを回転自在に支持した魚釣用リールが知られている（例えば、特許文献１参照）。この魚釣用リールでは、リール本体の一方の側板に回転自在に支持されたハンドル軸と、ハンドル軸に制動部材を介して摩擦結合された駆動歯車と、リール本体の側板間に支持され、駆動歯車からの駆動力により回転駆動されるスプールと、ハンドル軸に進退自在に螺合された制動力調節体と、を備えて構成されている。
【０００３】
駆動歯車は、制動力調節体により制動部材を介して押圧されることで、摩擦結合力が調節されるようになっている。制動力調節体は、ハンドル軸に螺合される螺合部と、側板のハンドル側支持部の外周を覆う環状部と、指で回動操作される操作部と、を備えて構成されている。
【０００４】
ところで、特許文献１の魚釣用リールでは、右側板の外側に向けて支持部が突設されており、この支持部の外周部に筒体が取付固定されている。一方、制動力調節体の基部側には、筒状の環状部が設けられている。この環状部は、筒体の径方向内側に間隙を有した状態で重合可能（オーバーラップ可能）に配置されている。
このような筒体と環状部とを配置することにより、側板の外面等に付着されている水分やゴミ等が内部に侵入するのを好適に防止することができる。
【先行技術文献】
【特許文献】
【０００５】
【特許文献１】特開２００５−２１０９５４号公報
【発明の概要】
【発明が解決しようとする課題】
【０００６】
しかしながら、特許文献１の魚釣用リールでは、筒体と環状部との間を通じて釣糸が内部に侵入するおそれがあった。筒体の内側には、板ばね等が配置されており、また、ハンドル軸には制動力調節体を螺合するためのねじが形成されているので、内部に釣糸が侵入すると、釣糸が汚れたり傷んだりするおそれがあり、これを改善したいという要望があった。
【０００７】
また、このことは、リール本体から延出された端部にハンドルが固定されたハンドル軸を有する魚釣用スピニングリールにおいても同様に生じるおそれがあり、リール本体からのハンドル軸の取出部に釣糸が絡み付くおそれがあるため、これを改善したいという要望があった。
【０００８】
本発明は、ハンドル軸に釣糸が絡み付くという絡み付き現象を好適に防止することができる魚釣用リールを提供することを課題とする。
【課題を解決するための手段】
【０００９】
このような課題を解決する本発明の魚釣用リールは、リール本体の一方の側板に回転自在に支持され、前記リール本体から延出された端部にハンドルが固定されたハンドル軸と、前記ハンドル軸に制動部材を介して摩擦結合された駆動歯車と、前記リール本体の側板間に支持され、前記駆動歯車からの駆動力により回転駆動されるスプールと、前記ハンドル軸に螺合された制動力調節体と、を備え、前記制動力調節体の回動操作で前記制動部材を押圧し、前記駆動歯車の摩擦結合力を変更することで前記スプールの制動力を調節するようにした魚釣用リールであって、前記リール本体からの前記ハンドル軸の取出部に、当該ハンドル軸の径方向外側へ向けて突出し、当該ハンドル軸へ向けて釣糸が移動するのを阻止する鍔部が設けられていることを特徴とする。
【００１０】
この魚釣用リールによれば、鍔部は、リール本体からのハンドル軸の取出部において、ハンドル軸の径方向外側へ向けて突出され、ハンドル軸へ向けて釣糸が移動するのを阻止するようになっているので、リール本体等に沿って取出部へ釣糸が巻き付いた場合に鍔部に釣糸が止まるようになり、ハンドル軸へ向けた釣糸の移動が規制される。
【００１１】
また、本発明は、前記取出部において前記ハンドル軸に沿って前記リール本体側から前記ハンドル側へ延設された第１のカバー体と、前記取出部において前記ハンドル軸に沿って前記ハンドル側から前記リール本体側へ延設された第２のカバー体と、を備え、前記第１のカバー体と前記第２のカバー体とは、前記ハンドル軸の径方向に少なくとも一部がオーバーラップしており、前記鍔部は、オーバーラップする部位において、前記第１のカバー体と前記第２のカバー体とのうち、径方向内側に配置されるカバー体に設けられていることを特徴とする。
【００１２】
この魚釣用リールによれば、取付部において、第１のカバー体と第２のカバー体とがハンドル軸の径方向に少なくとも一部がオーバーラップしており、鍔部は、オーバーラップする部位において、径方向内側に配置されるカバー体に設けられているので、リール本体側から取出部に巻き付いた釣糸も、ハンドル側から取出部に巻き付いた釣糸のいずれも、内側のカバー体に設けられた鍔部に止まり、これによってハンドル軸へ向けた釣糸の移動が確実に阻止されることとなる。
【００１３】
また、本発明は、オーバーラップする部位において、径方向内側に配置されるカバー体は前記第１のカバー体であり、径方向外側に配置されるカバー体は前記第２のカバー体であり、前記鍔部の外径をＤ１、前記第２のカバー体の内径をＤ２、としたときに、これらの関係が、  Ｄ１  ＜  Ｄ２  である、ことを特徴とする。
【００１４】
この魚釣用リールによれば、オーバーラップする部位において、径方向内側に第１のカバー体が配置され、径方向外側に第２のカバー体が配置される構成において、第２のカバー体の径方向内側に隙間を空けて第１のカバー体の鍔部が配置されることとなる。
【００１５】
また、本発明は、前記第１のカバー体と前記第２のカバー体とは、前記制動力調節体の回動操作でオーバーラップしない位置に退避可能であることを特徴とする。
【００１６】
この魚釣用リールによれば、制動力調節体を回動操作することによって、第１のカバー体と第２のカバー体とをオーバーラップしない位置に退避させることができ、第１のカバー体と第２のカバー体とがオーバーラップしない状態に離すことができる。
【００１７】
また、本発明は、前記制動力調節体は、前記リール本体側に向けて突出する操作ノブを有しており、前記ハンドル軸における前記ハンドルの固定部位を基準として、前記固定部位から前記第２のカバー体の前記リール本体側の端部までの前記ハンドル軸に沿う長さをＬＡ、前記固定部位から前記操作ノブの前記リール本体側の端部までの前記ハンドル軸に沿う長さをＬＢ、としたときに、これらの長さの関係が、  ＬＡ  ＜  ＬＢ  である、ことを特徴とする。
【００１８】
この魚釣用リールによれば、第２のカバー体の端部よりもリール本体側に操作ノブの端部が位置し、ハンドル軸に直交する方向から見たときに、第２のカバー体はハンドル軸方向に操作ノブで覆われるようにして配置されることとなる。
【００１９】
また、本発明は、リール本体に回転自在に支持され、前記リール本体から延出された端部にハンドルが固定されたハンドル軸を有する魚釣用リールにおいて、前記リール本体からの前記ハンドル軸の取出部に、当該ハンドル軸の径方向外側へ向けて突出し、当該ハンドル軸へ向けて釣糸が移動するのを阻止する鍔部が設けられていることを特徴とする。
【００２０】
この魚釣用リールによれば、鍔部は、リール本体からのハンドル軸の取出部において、ハンドル軸の径方向外側へ向けて突出され、ハンドル軸へ向けて釣糸が移動するのを阻止するようになっているので、リール本体等に沿って取出部へ釣糸が巻き付いた場合に鍔部に釣糸が止まるようになり、ハンドル軸へ向けた釣糸の移動が規制される。
【００２１】
また、本発明は、前記ハンドル軸に、円筒状のハンドルスタンドが介設されており、前記鍔部は、前記取出部において前記ハンドルスタンドの縁部に対応するようにして前記リール本体側に設けられていることを特徴とする。
【００２２】
この魚釣用リールによれば、鍔部は、取出部においてハンドルスタンドの縁部に対応するようにしてリール本体側に設けられているので、例えば、スピニングタイプの魚釣用リールにおいて、リール本体等に沿って取出部へ釣糸が巻き付いた場合に、鍔部に釣糸が止まるようになり、ハンドル軸へ向けた釣糸の移動が規制される。
【発明の効果】
【００２３】
本発明によれば、リール本体等に沿って取出部へ釣糸が移動してきた場合に鍔部に釣糸が止まるようになり、ハンドル軸へ向けた釣糸の移動が規制されるので、ハンドル軸に直接、釣糸が絡み付くような絡み付き現象を好適に阻止することができる。したがって、絡み付きによる釣糸の汚れや傷みを好適に回避することができる。これにより、魚釣操作性の向上を図ることができる。
【００２４】
また、ハンドル軸へ向けた釣糸の移動が規制されるので、制動力調節体を螺合しているねじ山部分に釣糸が入り込むことが防止され、ねじ山部分で釣糸が傷むのを好適に防止することができる。
【００２５】
また、鍔部によりハンドル軸へ向けた釣糸の移動を規制することができるので、例えば、船縁等に釣竿を保持した際等に、鍔部に釣糸を積極的に引っ掛けて保持しておくことができ、鍔部を釣糸の引掛部として利用することもできる。したがって、魚釣操作性の向上を図ることができる。
【００２６】
また、リール本体側からハンドル側へ延設された第１のカバー体と、ハンドル側からリール本体側へ延設された第２のカバー体と、を備え、オーバーラップする部位において、鍔部が、径方向内側に配置されるカバー体に設けられている構成では、リール本体側から取出部に巻き付いた釣糸も、ハンドル側から取出部に巻き付いた釣糸のいずれも、内側のカバー体に導かれて鍔部で移動が規制されることとなるので、ハンドル軸へ向けた釣糸の侵入を確実に阻止することができる。
【００２７】
また、オーバーラップする部位において、径方向内側に第１のカバー体が配置され、径方向外側に第２のカバー体が配置され、鍔部の外径Ｄ１に対して第２のカバー体の内径Ｄ２が大きくなるように設定されている構成では、オーバーラップする部位において、ハンドル軸へ向けた釣糸の侵入を好適に阻止しながら、第１のカバー体に対する第２のカバー体の回動を好適に確保することができる。
また、リール本体側の第１のカバー体に鍔部が設けられているので、リール本体の側壁に沿って巻き付いてきた釣糸を、第１のカバー体の鍔部で直接的に受け止めることができ、ハンドル軸へ向けた釣糸の侵入を確実に阻止することができる。
【００２８】
また、第１のカバー体と第２のカバー体とが、制動力調節体の回動操作でオーバーラップしない位置に退避可能である構成では、退避位置に移動させることによって、鍔部を露出させることができ、鍔部に止められた釣糸を容易に外すことができる。また、退避位置に移動させることによって、鍔部を露出させることができるので、鍔部の清掃等が行い易くなり、メンテナンス性が向上する。
【００２９】
また、ハンドル軸に沿う長さ方向において、固定部位から第２のカバー体のリール本体側の端部までの長さＬＡに対して、固定部位から操作ノブのリール本体側の端部までの長さＬＢが大きくされた構成では、第２のカバー体の端部よりもリール本体側に操作ノブの端部が位置し、ハンドル軸に直交する方向から見たときに、第２のカバー体はハンドル軸方向に操作ノブで覆われるようにして配置されることとなるので、第２のカバー体に釣糸が巻き付き難くなる。つまり、リール本体側に釣糸が巻き付き易くなり、リール本体側に巻き付いた釣糸は、第１のカバー体の鍔部でハンドル軸へ向けた移動が直接的に規制される。したがって、ハンドル軸に釣糸が絡み付くことがない。
なお、操作ノブの端部を境にして、反リール本体側（反取出部側、ハンドル側）へ釣糸が導かれることによっても、ハンドル軸へ向けた釣糸の侵入が好適に阻止される。
【００３０】
また、ハンドル軸に、円筒状のハンドルスタンドが介設され、鍔部は、取出部においてハンドルスタンドの縁部に対応するようにしてリール本体側に設けられている構成では、例えば、スピニングタイプの魚釣用リールにおいて、リール本体等に沿って取出部へ釣糸が巻き付いた場合に鍔部に釣糸が止まるようになり、ハンドル軸へ向けた釣糸の移動が規制されるので、絡み付きによる釣糸の汚れや傷みを好適に回避することができる。これにより、スピニングタイプの魚釣用リールにおいて、魚釣操作性の向上を図ることができる。
【図面の簡単な説明】
【００３１】
【図１】本発明の第１実施形態に係る魚釣用リールの全体構成を示す図である。
【図２】要部の拡大断面図である。
【図３】（ａ）は鍔部の周りの構成を示した拡大断面図、（ｂ）は第１のカバー体の構成を示した拡大断面図である。
【図４】（ａ）は退避位置における第１のカバー体と第２のカバー体との位置関係を示す拡大断面図、（ｂ）はさらに拡大した断面図である。
【図５】本発明の第２実施形態に係る魚釣用リールの要部の拡大断面図である。
【図６】本発明の第３実施形態に係る魚釣用リールの要部の拡大断面図である。
【図７】（ａ）は本発明の第４実施形態に係る魚釣用リールの側面図、（ｂ）は図７（ａ）におけるＢ−Ｂ線断面図である。
【図８】（ａ）は要部の拡大断面図、（ｂ）は鍔部の周りの構成を示した拡大断面図である。
【図９】（ａ）（ｂ）は変形例を示す拡大断面図である。
【発明を実施するための形態】
【００３２】
以下、本発明に係る魚釣用リールの実施形態について図面を参照しながら説明する。各実施形態において、同一の部分には同一の符号を付し、重複する説明は省略する。なお、以下の説明において、「前後」「左右」を言うときは、図１に示した方向を基準とする。
【００３３】
（第１実施形態）
本実施形態の魚釣用リールは、リール本体１と、左右フレーム２ａ、２ｂと、各フレーム２ａ、２ｂに対し、所定の空間をもって装着される左右側板３ａ、３ｂとを備えている。一方の右フレーム２ｂおよび一方の右側板３ｂには、ハンドル５を装着したハンドル軸７が回転可能に支持されている。左右側板３ａ、３ｂは、図示しないねじ等の固定部材で左右フレーム２ａ、２ｂに着脱可能に取付固定されている。
【００３４】
左右フレーム２ａ、２ｂ間には、スプール６が回転可能に支持されている。スプール６は、左フレーム２ａの図示しない軸受および右フレーム２ｂ側に設けた複数の軸受４ａ、４ｂ、４ｃ等（図２参照）で支持されているスプール軸６ａ（図２参照、以下同じ）に支持されている。
スプール６の前方（釣糸繰り出し側）の左右フレーム２ａ、２ｂ間に形成された図示しない公知の収容部には、スプール駆動用モータＭが収容保持されている。このスプール駆動用モータＭの動力は、遊星歯車からなる減速機構８、歯車またはベルト等から構成される動力伝達部９を介してスプール軸６ａに伝達されるようになっている。
【００３５】
スプール軸６ａの右フレーム２ｂ側には、図２に示すように、太陽歯車１０が回り止め固定され、この太陽歯車１０には、遊星歯車１２が噛合し、この遊星歯車１２は、内歯歯車１３に噛合している。遊星歯車１２は、支持体１１に回転可能に軸支されている。支持体１１は、スプール６の側部に固定されたカバー部材１４の基部内周に設けた軸受４ｂで支持されている。内歯歯車１３は、スプール６の側部内側に一体的に形成されている。
カバー部材１４の基部外周は、右フレーム２ｂの軸受４ｃに回転可能に支持されて、スプール６を左右フレーム２ａ、２ｂ間に回転可能に支持している。
【００３６】
支持体１１の右側板３ｂ側の端部には、回り止め係合部１１ａが形成されている。回り止め係合部１１ａには、ピニオン１５のクラッチ係合部１５ａが係合している。ピニオン１５は、右フレーム２ｂに設けた軸受４ｄと右側板３ｂに設けた軸受４ｅに回転自在、かつ軸方向移動可能に支持されている。クラッチ係合部１５ａは、ピニオン１５のスプール６側の端部に形成されている。
クラッチ係合部１５ａは、釣糸巻取状態（クラッチＯＮ状態、図２参照）から、切換部材１６（図１参照、以下同じ）を下方へ移動操作することで、係合状態が解除されるようになっており、これによってスプール６が釣糸放出状態（クラッチＯＦＦのスプールフリー可能状態）に切換わるようになっている。
【００３７】
切換部材１６は、スプール６の後方において、左右フレーム２ａ、２ｂ間に上下方向に変位可能に設けられている。切換部材１６を下方へ移動操作すると、公知の作動部材を介して支持体１１の回り止め係合部１１ａからクラッチ係合部１５ａが分離され、釣糸放出状態に切換わる。
また、このスプール６の釣糸放出状態からハンドル５を巻取方向に回転操作すると、図示しない公知の復帰機構を介してピニオン１５がスプール６側に移動し、支持体１１の回り止め係合部１１ａに再係合する。これによって、スプール６が釣糸巻取状態に復帰するようになっている。
【００３８】
ハンドル軸７は、右フレーム２ｂに設けた軸受４ｆと右側板３ｂに設けた軸受２２で回転自在に支持されており、リール本体１からのハンドル軸７の取出部Ｃには、図３（ａ）にも示すように、第１のカバー体３０が設けられている。
第１のカバー体３０は、図３（ｂ）に示すように、段付きの円筒状を呈しており、リール本体１のハンドル軸支持部２５の右端外周部には、周方向に段差部２５ａが形成されており、また、この段差部２５ａに連続して右側面には、右側方へ突出する円環突部２５ｄが形成されている。
【００３９】
第１のカバー体３０は、取付部３１と、これに連続して形成された断面三角形状の支持部３２と、この支持部３２の先端に一体的に形成された鍔部３３とを備えて構成されている。第１のカバー体３０は、リール本体１の右側板３ｂよりも高強度、高剛性の金属材料、例えば、チタン、ステンレス、高強度アルミ合金（＃２０００系、＃５０００系、＃６０００系、＃７０００系）を用いることが好ましい。
【００４０】
取付部３１は、右側板３ｂのハンドル軸支持部２５の段差部２５ａに外嵌されるようになっており、段差部２５ａを形成している右側面２５ｂに当接される左側面３１ｂと、段差部２５ａの周面２５ｃに当接される内周面３１ｃと、を備えている。
支持部３２は、円環突部２５ｄに当接される支持側面３２ｂと、鍔部３３に向けて傾斜状に形成された傾斜周面３２ａと、内周面３２ｃと、傾斜周面３２ａと鍔部３３との間に形成される釣糸保持面３３ａと、を備えている。
【００４１】
鍔部３３は、支持部３２の先端から周方向外方へ突出形成されており、鍔部３３の左側面と釣糸保持面３３ａと傾斜周面３２ａとで、周方向に開口する凹状空間部を形成している。この凹状空間部は、取出部Ｃに巻き付いた釣糸を収容可能である。つまり、凹状空間部は、取出部Ｃに巻き付いた釣糸を収容保持するための空間部として機能するようになっている。
なお、取付部３１の外周面３１ａの外径は、第２のカバー体２０ｃの外周面の外径と略同じ大きさとされている。
【００４２】
このような第１のカバー体３０で取出部Ｃが覆われるハンドル軸７には、図２に示すように、回転可能状態で、制動部材としてのドラグ機構Ｄによって駆動歯車１７が摩擦結合されている。駆動歯車１７はピニオン１５に噛合している。したがって、ハンドル５を回転操作すると、その回転力がハンドル軸７、ドラグ機構Ｄ、駆動歯車１７、ピニオン１５、支持体１１、遊星歯車１２、内歯歯車１３等を介してスプール６に伝達され、釣糸がスプール６に巻回されるようになっている。
【００４３】
ハンドル軸７のモータ駆動軸側には、ハンドル５による回転力がスプール６に伝達されるように、一方向クラッチ１９が設けられている。一方向クラッチ１９は、転がり式であり、楔作用により、ハンドル軸７の巻取方向の正回転を許容し、逆回転を防止する逆転防止装置を構成している。
【００４４】
ハンドル軸７の右端側には、ねじ部７ａが形成されており、このねじ部７ａに制動力調節体（ドラグ力調節部材）２０が軸方向に進退可能に螺合されて取り付けられている。
制動力調節体２０は、駆動歯車１７の摩擦結合力（ドラグ力）を調節する部材であり、操作ノブ２０ａと、操作ノブ２０ａに一体的に形成され円筒状の第２のカバー体２０ｃと、押圧体２０ｄと、を含んで構成されている。操作ノブ２０ａは、ハンドル軸７から放射状に延びる複数のノブを備えており、端部がリール本体１側に向けて湾曲形成されている。
【００４５】
第２のカバー体２０ｃは、操作ノブ２０ａの基端部から左側方へ向けて延設されており、取出部Ｃにおいてハンドル軸７に沿ってハンドル５側からリール本体１（右側板３ｂ）側へ突出形成されている。第２のカバー体２０ｃは、その内側に配置される押圧体２０ｄ（図３（ａ）参照）や板ばね２１（図３（ａ）参照）の一部を覆っている。
【００４６】
このような第２のカバー体２０ｃは、一般的なドラグ調整範囲において、図３（ａ）に示すように、ハンドル軸７の径方向において第１のカバー体３０の鍔部３３に、少なくとも端部２０ｃ１がオーバーラップするように配置されている。そして、オーバーラップする部位において、第２のカバー体２０ｃの径方向内側に第１のカバー体３０の鍔部３３が配置されるようになっている。
【００４７】
つまり、ハンドル軸７におけるハンドル５の固定部位を基準として（ハンドル５の側面５ａを基準として、図３（ａ）参照、以下同じ）、固定部位から第１のカバー体３０の鍔部３３の先端部までのハンドル軸７に沿う長さをＬＣとし、固定部位から操作ノブ２０ａの第２のカバー体２０ｃの端部２０ｃ１までのハンドル軸７に沿う長さをＬＡとしたときに、これらの関係が次式で表される関係を有するように構成されている。
ＬＣ  ＜  ＬＡ
すなわち、固定部位から第１のカバー体３０の鍔部３３の端部までの長さＬＣよりも、固定部位から第２のカバー体２０ｃの端部２０ｃ１までの長さＬＡが長くなるようにされており、これによって、オーバーラップする部位において、第２のカバー体２０ｃの径方向内側に第１のカバー体３０の鍔部３３が位置するようになっている。
【００４８】
加えて、オーバーラップする部位において、鍔部３３の外径をＤ１、第２のカバー体２０ｃの内径をＤ２、としたときに、これらの関係が次式で表される関係を有するように構成されている。
Ｄ１  ＜  Ｄ２
したがって、オーバーラップする部位において、第２のカバー体２０ｃの径方向内側に第１のカバー体３０の鍔部３３が所定の隙間を空けて位置するようになっている。
なお、外径Ｄ１と内径Ｄ２との寸法差は、できるだけ小さく設定されることが好ましく、例えば、使用される釣糸の種類のうち最小外径と同等か、それよりも小さく設定することができる。
【００４９】
ここで、一般的なドラグ調整範囲とは、魚釣用リールに設定された最大ドラグ力が得られる力で制動力調節体２０を締め付けた状態から、最大ドラグ力の１０％のドラグ力が得られる力で締め付けた状態の範囲をいう。
なお、最大ドラグ力が得られる力で制動力調節体２０を締め付けた状態で、第１のカバー体３０の傾斜周面３２ａと第２のカバー体２０ｃの端部２０ｃ１との間には、取出部Ｃに巻き付いた釣糸が釣糸保持面３３ａに向けて挿通可能な隙間が形成されるようになっている。
【００５０】
また、制動力調節体２０を緩める回動操作を行うことにより、第１のカバー体３０と第２のカバー体２０ｃとは、オーバーラップしない位置に退避可能に構成されている。
つまり、図４（ａ）（ｂ）に示すように、制動力調節体２０を緩める回動操作を行うと（一般的なドラグ調整範囲から外れる範囲に制動力調節体２０を緩めると）、固定部位から第２のカバー体２０ｃの端部２０ｃ１までの長さＬＡよりも、固定部位から第１のカバー体３０の鍔部３３の先端部までの長さＬＣが大きくなる（ＬＡ  ＜  ＬＣ）ように設定されている。これにより、第２のカバー体２０ｃの端部２０ｃ１よりも左方向に鍔部３３を移動させることができ、鍔部３３の左側方に形成される釣糸保持面３３ａを、第２のカバー体２０ｃで覆われない位置（退避位置）に移動させることができ、取出部Ｃに釣糸保持面３３ａを露出させることができる。
【００５１】
さらに、図３（ａ）に示すように、前記固定部位を基準として、固定部位から第２のカバー体２０ｃの端部２０ｃ１（リール本体１側の端部）までのハンドル軸７に沿う長さをＬＡ、固定部位から操作ノブ２０ａのリール本体１側の端部２０ｂまでのハンドル軸７に沿う長さをＬＢとしたときに、これらの関係が次式で表される関係を有するように構成されている。
ＬＡ  ＜  ＬＢ  
つまり、第２のカバー体２０ｃのリール本体１側の端部２０ｃ１よりもリール本体１側に、操作ノブ２０ａのリール本体１側の端部２０ｂが位置するようになっている。したがって、ハンドル軸７に直交する方向から見たときに、第２のカバー体２０ｃはハンドル軸７方向に操作ノブ２０ａで覆われるようにして配置されることとなる。このことは、操作ノブ２０ａの端部２０ｂを境として、第２のカバー体２０ｃの端部２０ｃ１よりもリール本体１側寄りとなる位置で、操作ノブ２０ａの左右に巻き付いた釣糸が振り分けられるようになっている。
【００５２】
次に、本実施形態の魚釣用リールによる作用を説明する。
図３（ａ）（ｂ）に示すように、第１のカバー体３０と第２のカバー体２０ｃとがオーバーラップして配置されている状態において、例えば、リール本体１に沿うようにして図示しない釣糸が巻き付いてくると、その釣糸は、リール本体１のハンドル軸支持部２５から外径の小さくされた取出部Ｃに移動してくる。
【００５３】
取出部Ｃには、ハンドル軸支持部２５に連続して第１のカバー体３０が設けられているので、取出部Ｃに移動してきた釣糸は、ハンドル軸支持部２５から第１のカバー体３０上に移動し、第１のカバー体３０の傾斜周面３２ａ上を釣糸保持面３３ａに向けて移動する。釣糸保持面３３ａに移動した釣糸は、鍔部３３の左側面に当接して釣糸保持面３３ａ内に受け止められ（移動が規制され）、鍔部３３を乗り越えることなく釣糸保持面３３ａに保持される。
【００５４】
これにより、第１のカバー体３０の内側に釣糸が入り込むことが阻止され、ハンドル軸７に釣糸が絡み付くことが阻止される。
なお、釣糸保持面３３ａに釣糸が保持された状態で、鍔部３３と第２のカバー体２０ｃの端部２０ｃ１の内周部とが比較的小さい隙間をもって対峙しているので、仮に、釣糸保持面３３ａに収容された釣糸が緩んで第２のカバー体２０ｃ側に向けて膨らんでも、鍔部３３と第２のカバー体２０ｃの端部２０ｃ１の内周部との間を通じて第１のカバー体３０の内側に移動することはない。
【００５５】
また、例えば、ハンドル５側から図示しない釣糸が巻き付いてくると、その釣糸は、操作ノブ２０ａの端部２０ｂを境にして、リール本体１側に移動するか、反リール本体１側に移動するかが振り分けられ、反リール本体１側に移動した場合には、ハンドル５等に掛かるか外れる等して、釣糸が傷むこともない。
一方、操作ノブ２０ａの端部２０ｂを境にしてリール本体１側に釣糸が巻き付いた場合、釣糸は、取出部Ｃに巻き付いてくる。
【００５６】
ここで、前記した  ＬＡ  ＜  ＬＢ  の関係により、第２のカバー体２０ｃのリール本体１側の端部２０ｃ１は、操作ノブ２０ａのリール本体１側の端部２０ｂよりも反リール本体１側に位置しているので、取出部Ｃに移動してきた釣糸は、第２のカバー体２０ｃよりも第１のカバー体３０側に導かれるようになる。これにより、前記と同様にして、釣糸保持面３３ａ内に釣糸が受け止められ（移動が規制され）、鍔部３３を乗り越えることなく釣糸保持面３３ａに釣糸が保持されることとなる。
なお、取出部Ｃに移動してきた釣糸が、仮に、第２のカバー体２０ｃ側に絡み付いた場合にも、第２のカバー体２０ｃ側から第１のカバー体３０側に釣糸が導かれるようにして移動し、前記と同様にして、釣糸保持面３３ａ内に釣糸が受け止められる（移動が規制される）。
【００５７】
以上説明した本実施形態の魚釣用リールによれば、鍔部３３は、リール本体１からのハンドル軸７の取出部Ｃにおいて、ハンドル軸７の径方向外側へ向けて突出され、ハンドル軸７へ向けて釣糸が移動するのを阻止するようになっているので、リール本体１等に沿って取出部Ｃへ釣糸が移動してきた場合に鍔部３３に釣糸が止まるようになり、ハンドル軸７に直接、釣糸が絡み付くような絡み付き現象を好適に阻止することができる。したがって、絡み付きによる釣糸の汚れや傷みを好適に回避することができる。これにより、魚釣操作性の向上を図ることができる。
【００５８】
また、ハンドル軸７へ向けた釣糸の移動が規制されるので、制動力調節体２０を螺合しているねじ部７ａ部分に釣糸が入り込むことが防止され、ねじ部７ａに接触したり巻き付いたりすることによって、釣糸が傷むのを好適に阻止することができる。
【００５９】
また、鍔部３３によりハンドル軸７へ向けた釣糸の移動を規制することができるので、例えば、船縁等に釣竿を保持した際等に、鍔部３３に釣糸を積極的に引っ掛けて保持しておくこともでき、鍔部３３を釣糸の引掛部として利用することもできる。したがって、魚釣操作性の向上を図ることができる。
【００６０】
また、第１のカバー体３０と第２のカバー体２０ｃとがオーバーラップする部位において、鍔部３３が、径方向内側に配置される第１のカバー体３０に設けられているので、リール本体１側から取出部Ｃに巻き付いた釣糸も、ハンドル５側から取出部Ｃに巻き付いた釣糸も、内側の第１のカバー体３０に導かれて鍔部３３で移動が規制される。したがって、ハンドル軸７へ向けた釣糸の侵入を確実に阻止することができる。
【００６１】
また、鍔部３３の外径Ｄ１に対して第２のカバー体２０ｃの内径Ｄ２が大きくなるように設定されているので、オーバーラップする部位において、ハンドル軸７へ向けた釣糸の侵入を好適に阻止しながら、第１のカバー体３０に対する第２のカバー体２０ｃの回動を好適に確保することができる。
また、リール本体１側の第１のカバー体３０に鍔部３３が設けられているので、リール本体１の側壁に沿って巻き付いてきた釣糸を、第１のカバー体３０の鍔部３３で直接的に受け止めることができ、ハンドル軸７へ向けた釣糸の侵入を確実に阻止することができる。
【００６２】
また、第１のカバー体３０と第２のカバー体２０ｃとが、制動力調節体２０の回動操作でオーバーラップしない位置に退避可能であるので、退避位置に移動させることによって、鍔部３３を露出させることができ、鍔部３３に止められた釣糸を容易に外すことができる。また、退避位置に移動させることによって、鍔部３３を露出させることができるので、鍔部３３の清掃等が行い易くなり、メンテナンス性が向上する。
【００６３】
また、ハンドル軸７に沿う長さ方向において、固定部位から第２のカバー体２０ｃのリール本体１側の端部２０ｃ１までの長さＬＡに対して、固定部位から操作ノブ２０ａのリール本体１側の端部２０ｂまでの長さＬＢが大きくされ、第２のカバー体２０ｃの端部２０ｃ１よりもリール本体１側に操作ノブ２０ａの端部２０ｂが位置しているので、第２のカバー体２０ｃに対して巻き付いてくる釣糸に操作ノブ２０ａの端部２０ｂが接触し易くなり、第２のカバー体２０ｃに釣糸が巻き付き難くなる。つまり、リール本体１側に釣糸が巻き付き易くなり、リール本体１側に巻き付いた釣糸は、第１のカバー体３０の鍔部３３でハンドル軸７へ向けた移動が直接的に規制される。したがって、ハンドル軸７に釣糸が絡み付くことがない。
なお、操作ノブ２０ａの端部２０ｂを境にして、反リール本体１側（反取出部Ｃ側、ハンドル５側）へ釣糸が導かれることによっても、ハンドル軸７へ向けた釣糸の侵入が好適に阻止される。
【００６４】
また、第１のカバー体３０は、支持部３２を有しており、支持部３２には、ハンドル軸支持部２５の円環突部２５ｄに当接する支持側面３２ｂを有しているので、この支持側面３２ｂで第１のカバー体３０を支持することができる。これにより、第１のカバー体３０の取付部３１への応力集中を回避することができ、第１のカバー体３０の変形を好適に防止することができる。これにより、第１のカバー体３０の取付剛性を高めることができる。
【００６５】
また、第１のカバー体３０は、右側板３ｂのハンドル軸支持部２５に外嵌されて取り付けられており、回動不能に設けられているので、ハンドル５が回動操作されることによる影響を受けることがなく、第１のカバー体３０の全周に絡み付くような現象を生じることがない。したがって、鍔部３３の側方に保持された釣糸を簡単に外すことができ、取扱性に優れる。
【００６６】
（第２実施形態）
図５を参照して第２実施形態の魚釣用リールについて説明する。本実施形態が前記第１実施形態と異なるところは、取出部Ｃにおいて第１のカバー体３０Ａが第２のカバー体２０ｃの径方向外側でオーバーラップするように構成されている点である。
【００６７】
第１のカバー体３０Ａは、円筒状を呈しており、ハンドル軸支持部２５の右端外周部に設けられた段差部２５ａ１に外嵌されている。第１のカバー体３０Ａの右端部には、周方向外方へ突出する鍔部３３Ａが形成されている。第１のカバー体３０Ａは、右側板３ｂよりも高強度、高剛性の金属材料、例えば、チタン、ステンレス、高強度アルミ合金（＃２０００系、＃５０００系、＃６０００系、＃７０００系）を用いることが好ましい。
【００６８】
第２のカバー体２０ｃは、一般的なドラグ調整範囲において、第１のカバー体３０の右端部の径方向内側に、少なくとも端部２０ｃ１がオーバーラップするように配置可能である（不図示）。
【００６９】
このような魚釣用リールにおいて、例えば、リール本体１に沿うようにして図示しない釣糸が巻き付いてくると、その釣糸は、リール本体１のハンドル軸支持部２５から第１のカバー体３０Ａ上に移動し、鍔部３３Ａの左側面に当接して受け止められる（移動が規制される）。そして、釣糸は鍔部３３Ａの左側方に保持される。これにより、第１のカバー体３０Ａの内側に釣糸が入り込むことが阻止され、ハンドル軸７に釣糸が絡み付くことが阻止される。
【００７０】
なお、第２のカバー体２０ｃは、第１のカバー体３０Ａの右端部の径方向内側において、少なくとも端部２０ｃ１がオーバーラップするように配置されており、第１のカバー体３０Ａと第２のカバー体２０ｃとは、比較的小さい隙間をもって対峙しているので、仮に、鍔部３３Ａの左側方に保持された釣糸が緩んで第２のカバー体２０ｃ上にこれが移動しても、釣糸は鍔部３３Ａの右側面に当接して第２のカバー体２０ｃ上に保持され、第１のカバー体３０Ａの内側に入り込むことがない。
【００７１】
本実施形態の魚釣用リールによれば、鍔部３３Ａに釣糸が止まるようになり、ハンドル軸７に直接、釣糸が絡み付く絡み付き現象を好適に阻止することができる。したがって、絡み付きによる釣糸の汚れや傷みを好適に回避することができる。これにより、魚釣操作性の向上を図ることができる。
【００７２】
（第３実施形態）
図６を参照して第３実施形態の魚釣用リールについて説明する。本実施形態は、取出部Ｃにおいて第１のカバー体３０Ｂが第２のカバー体２０ｃの径方向外側でオーバーラップする点は前記第２実施形態と同様であるが、第２のカバー体２０ｃに、鍔部３３Ｂが形成されている点が異なる。
【００７３】
第１のカバー体３０Ｂは、軸方向に凹凸のない円筒状を呈しており、ハンドル軸支持部２５の右端外周部２５ａ２に外嵌されている。
【００７４】
第２のカバー体２０ｃは、一般的なドラグ調整範囲において、第１のカバー体３０の右端部の径方向内側に、少なくとも端部２０ｃ１がオーバーラップするように配置されている。そして、端部２０ｃ１には、周方向外方へ突出する鍔部３３Ｂが形成されている。第２のカバー体２０ｃは、右側板３ｂよりも高強度、高剛性の金属材料、例えば、チタン、ステンレス、高強度アルミ合金（＃２０００系、＃５０００系、＃６０００系、＃７０００系）を用いることが好ましい。
【００７５】
このような魚釣用リールにおいて、例えば、リール本体１に沿うようにして図示しない釣糸が巻き付いてくると、その釣糸は、リール本体１のハンドル軸支持部２５から第１のカバー体３０Ｂ上に移動し、第１のカバー体３０Ｂ上から第２のカバー体２０ｃ上に移動する。そして、第２のカバー体２０ｃ上において、鍔部３３Ｂの右側面に当接して受け止められ（移動が規制され）、鍔部３３Ｂの右側方に保持される。これにより、第１のカバー体３０Ｂの内側（第２のカバー体２０ｃの内側）に釣糸が入り込むことが阻止され、ハンドル軸７に釣糸が絡み付くことが阻止される。
【００７６】
なお、第２のカバー体２０ｃの鍔部３３Ｂは、第１のカバー体３０Ｂの右端部の径方向内側において、オーバーラップするように配置されており、第１のカバー体３０Ｂと鍔部３３Ｂとは、比較的小さい隙間をもって対峙しているので、仮に、鍔部３３Ｂの右側方に保持された釣糸が緩んで膨らんでも、釣糸は鍔部３３Ｂの右側面に当接して依然として第２のカバー体２０ｃ上に保持されることとなり、第１のカバー体３０Ｂ（第２のカバー体２０ｃ）の内側に入り込むことがない。
【００７７】
本実施形態の魚釣用リールによれば、鍔部３３Ｂに釣糸が止まるようになり、ハンドル軸７に直接、釣糸が絡み付くような絡み付き現象を好適に阻止することができる。したがって、絡み付きによる釣糸の汚れや傷みを好適に回避することができる。これにより、魚釣操作性の向上を図ることができる。
【００７８】
（第４実施形態）
本実施形態が前記第１〜第３実施形態と異なるところは、魚釣用リールとしての魚釣用スピニングリールにおいて、ハンドル軸の取出部に鍔部を設けた点である。なお、以下の説明において、「前後」「左右」「上下」を言うときは、図７に示した方向を基準とする。
図７（ａ）に示すように、本実施形態の魚釣用スピニングリールのリール本体４０には、図示しない釣竿に装着されるリール脚４０Ａが一体形成されており、その前方には回転可能に支持されたロータ４１と、ロータ４１の回転運動と同期して前後動可能に支持され、釣糸が巻回保持されるスプール４２が配設されている。
【００７９】
また、図７（ｂ）に示すように、リール本体４０内には、ロータ４１を回転駆動するとともに、スプール４２を前後往復動させるための（スプール４２に釣糸を巻き取るべく構成された）公知の巻取駆動機構４３が配設されている。この巻取駆動機構４３には、スプール４２の支軸に対して直交する方向に延出し、一対の軸受４４，４４を介して回転可能に支持された駆動軸として機能するハンドル軸４５が連結されており、そのハンドル軸４５の左端側には、巻取駆動機構４３の一部を構成する駆動歯車（フェースギヤ）４６が装着されている。
なお、駆動歯車４６は、ハンドル軸４５ととともに一体的に形成されていてもよく、また、別体として形成されてハンドル軸４５に対して一体回転可能に装着されていてもよい。
【００８０】
ハンドル軸４５の両側には、図８（ａ）に示すように、ハンドル取り付け構造によってハンドル５０の後記するハンドルスタンド５１が着脱可能に装着（嵌合）されるようになっており、ハンドル５０が装着されない側のハンドル軸４５の端部には、リール本体４０に対応して形成される取付開口４７ａ（または４７ｂ）にキャップ（閉塞部材）４８が被着されて閉塞される。すなわち、ハンドル取り付け構造によって、リール本体４０の左右いずれにもハンドル５０が装着可能となっている（ハンドル軸４５に対するハンドルスタンド５１の着脱によってハンドル５０をリール本体４０の左右で付け替え可能となっている）。
【００８１】
ハンドル５０に備わるハンドルスタンド５１は、円筒状（テーパ状）に構成されており、その内孔の内周面にはその開口端部から順次に大径雌ねじ部５１ａと小径雌ねじ部５１ｂとが形成されている。一方、ハンドル軸４５には、小径雌ねじ部５１ｂと螺合可能な小径雄ねじ部４５ｂが右端外周面に形成されるとともに、大径雌ねじ部５１ａと螺合可能な大径雄ねじ部４５ａが左端外周面に形成されている。
【００８２】
また、リール本体４０の左右両側にはそれぞれ、キャップ４８を着脱自在に取り付けるための取付フランジ４０ａ，４０ｂが設けられており、各取付フランジ４０ａ，４０ｂの外周面には雄ねじ４０ａ１，４０ｂ１が形成されている。また、これらの取付フランジ１ａ，１ｂには、ハンドル５０を取り付けるための前記した取付開口４７ａ，４７ｂが形成されている。
取付フランジ４０ａ，４０ｂの先端には、シール部材４９ａ，４９ｂが着脱自在に取り付けられている。
また、キャップ４８は、開口端付近の内周面に、取付フランジ４０ａ，４０ｂの雄ねじ４０ａ１，４０ｂ１に螺合可能な雌ねじ４８ａが形成されている。
【００８３】
取付フランジ４０ａ，４０ｂの基端部には、鍔部６０，６０がそれぞれ設けられている。ここで、鍔部６０は、取付フランジ４０ａ，４０ｂの両側で同じものであるので、一方の取付フランジ４０ｂ側に設けられる鍔部６０について説明する。
取付フランジ４０ｂには、図８（ｂ）に示すように、側面４０ｃと外周面４０ｄとからなる段差部４０ｅが形成されている。
鍔部６０は、段差部４０ｅに外嵌される円環状の基部６１に一体的に設けられており、径方向外側へ突出形成されている。基部６１は、段差部４０ｅの側面４０ｃに当接する左側面６１ｃと、段差部４０ｅの外周面４０ｄに当接する内周面６１ｄを有している。
【００８４】
鍔部６０の左側には、取付フランジ４０ｂに形成された傾斜面４０ｂ２との間に釣糸保持面６１ａが形成されている。また、鍔部６０および基部６１の右側面６１ｂは、ハンドル軸４５に垂直な面とされており、右側方に配置されたハンドルスタンド５１の端部５１ｃに対峙している。つまり、鍔部６０は、取出部Ｃにおいてハンドルスタンド５１の端部５１ｃ（縁部）に対応するようにしてリール本体４０側に設けられている。なお、鍔部６０は、ハンドルスタンド５１の端部５１ｃの外周面よりも径方向外側へ突出している。
【００８５】
このような魚釣用スピニングリールにおいて、例えば、リール本体４０に沿うようにして図示しない釣糸が巻き付いてくると、その釣糸は、リール本体４０の取付フランジ４０ｂの傾斜面４０ｂ２に沿って鍔部６０の左側方の釣糸保持面６１ａ上に移動し、鍔部６０の左側面に当接して受け止められる（移動が規制される）。そして、釣糸は鍔部６０の左側方において釣糸保持面６１ａ上に保持される。これにより、鍔部６０を越えてハンドルスタンド５１の内側（内方）に釣糸が入り込むことが阻止され、取付フランジ４０ｂの外周面の雄ねじ４０ｂ１や、さらにその内側のハンドル軸４５に釣糸が絡み付くことが阻止される。
【００８６】
この魚釣用スピニングリールによれば、鍔部６０によりハンドル軸４５へ向けた釣糸の移動が規制され、取付フランジ４０ｂの外周面の雄ねじ４０ｂ１や、さらにその内側のハンドル軸４５に釣糸が絡み付くような絡み付き現象を好適に阻止することができる。したがって、絡み付きによる釣糸の汚れや傷みを好適に回避することができる。これにより、魚釣操作性の向上を図ることができる。
【００８７】
また、ハンドル軸４５に、円筒状のハンドルスタンド５１が介設され、鍔部６０は、取出部Ｃにおいてハンドルスタンド５１の端部５１ｃに対応するようにしてリール本体４０側に設けられているので、リール本体４０等に沿って取出部Ｃへ釣糸が巻き付いてきた場合に鍔部６０に釣糸が止まるようになり、ハンドルスタンド５１の端部５１ｃ（縁部）との間に釣糸が侵入するのを規制することができるので、絡み付きによる釣糸の汚れや傷みを好適に回避することができる。これにより、魚釣操作性の向上を図ることができる。
【００８８】
図９（ａ）（ｂ）に本実施形態の変形例を示す。
図９（ａ）に示した例では、ハンドルスタンド５１の端部５１ｃの径方向内側（端部５１ｃの内方）に、鍔部６０Ａがオーバーラップして配置された構成を有している。
【００８９】
カバー体６２は、取付部６３と、これに連続して形成された支持部６４と、この支持部６４の先端に一体的に形成された鍔部６０Ａとを備えて構成されている。カバー体６２は、リール本体４０よりも高強度、高剛性の金属材料、例えば、チタン、ステンレス、高強度アルミ合金（＃２０００系、＃５０００系、＃６０００系、＃７０００系）を用いることが好ましい。
【００９０】
取付部６３は、取付フランジ４０ｂの段差部４０ｅに外嵌されるようになっており、段差部４０ｅの側面４０ｇに当接される左側面６３ｂと、段差部４０ｅの外周面４０ｈに当接される内周面６３ｃと、外周面６３ａと、を備えている。
支持部６４は、段差部４０ｅの外周面４０ｊに当接される支持側面６４ｄと、鍔部６０Ａに向けて傾斜状に形成された傾斜周面６４ａと、傾斜周面６４ａと鍔部６０Ａとの間に形成される釣糸保持面６５ａと、を備えている。
【００９１】
鍔部６０Ａは、支持部６４の先端から周方向外方へ一体的に突出形成されており、ハンドルスタンド５１の端部５１ｃの径方向内側に隙間を空けて配置されている。鍔部６０Ａは、鍔部６０Ａの左側面と釣糸保持面６５ａと傾斜周面６４ａとで、周方向に開口する凹状空間部を形成している。この凹状空間部は、取出部Ｃに巻き付いた釣糸を収容可能である。
【００９２】
このような魚釣用スピニングリールにおいて、例えば、リール本体４０に沿うようにして図示しない釣糸が巻き付いてくると、その釣糸は、リール本体４０の取付フランジ４０ｂの傾斜面４０ｂ２に沿ってカバー体６２の外周面６３ａに移動し、その後、外周面６３ａから傾斜周面６４ａを移動してこれに連続する釣糸保持面６５ａに移動する。そうすると、釣糸は鍔部６０Ａの左側面に当接して受け止められ（移動が規制され）、釣糸保持面６５ａ上に収容されるようにして配置される。
これにより、鍔部６０Ａを越えてハンドルスタンド５１の内側（内方）に釣糸が入り込むことが阻止され、取付フランジ４０ｂの外周面の雄ねじ４０ｂ１や、さらにその内側のハンドル軸４５に釣糸が絡み付くことが阻止される。
【００９３】
このような魚釣用スピニングリールによれば、鍔部６０Ａによりハンドル軸４５へ向けた釣糸の移動が規制され、取付フランジ４０ｂの外周面の雄ねじ４０ｂ１や、さらにその内側のハンドル軸４５に釣糸が絡み付く絡み付き現象を好適に阻止することができる。したがって、絡み付きによる釣糸の汚れや傷みを好適に回避することができる。これにより、魚釣操作性の向上を図ることができる。
【００９４】
なお、鍔部６０Ａは、ハンドルスタンド５１の端部５１ｃの径方向内側（端部５１ｃの内方）に位置しているので、ハンドルスタンド５１の外周面をリール本体４０へ向けて巻き付いてきた釣糸は、鍔部６０Ａの左側方の釣糸保持面６５ａ上に好適に導かれ、鍔部６０Ａに止まるようにして保持される。したがって、この場合にも、取付フランジ４０ｂの外周面の雄ねじ４０ｂ１や、さらにその内側のハンドル軸４５に釣糸が絡み付く絡み付き現象を好適に阻止することができる。したがって、絡み付きによる釣糸の汚れや傷みを好適に回避することができる。これにより、魚釣操作性の向上を図ることができる。
【００９５】
図９（ｂ）に示した例では、取付フランジ４０ｂに一体的に鍔部６０Ｂが形成されており、鍔部６０Ｂの左側方に釣糸保持面６６ａが形成されている。
【００９６】
このような魚釣用スピニングリールにおいて、例えば、リール本体４０に沿うようにして図示しない釣糸が巻き付いてくると、その釣糸は、リール本体４０の取付フランジ４０ｂの傾斜面４０ｂ２に沿って釣糸保持面６６ａに移動し、鍔部６０Ｂの左側面に当接して受け止められる（移動が規制される）。これにより、釣糸は、釣糸保持面６６ａ上に収容されるようにして配置される。
これにより、鍔部６０Ｂを越えてハンドルスタンド５１の内側（内方）に釣糸が入り込むことが阻止され、取付フランジ４０ｂの外周面の雄ねじ４０ｂ１や、さらにその内側のハンドル軸４５に釣糸が絡み付くことが阻止される。したがって、絡み付きによる釣糸の汚れや傷みを好適に回避することができる。これにより、魚釣操作性の向上を図ることができる。
【００９７】
前記各実施形態で説明した鍔部３３（３０等）の形状は、その側面に釣糸を保持することができるものであれば、四角形状のものに限られることはなく、鉤形形状等、種々の形状を採用することができる。
【符号の説明】
【００９８】
１      リール本体
１ａ    取付フランジ
３ａ    左側板
３ｂ    右側板
５      ハンドル
６      スプール
７      ハンドル軸
２０    制動力調節体
７ａ    ねじ部
８      減速機構
９      動力伝達部
１０    太陽歯車
２０ａ  操作ノブ
２０ｂ  端部
２０ｃ  第２のカバー体
２０ｃ１  端部
３０    第１のカバー体
３３    鍔部
３３Ａ  鍔部
３３Ｂ  鍔部
Ｄ      ドラグ機構（制動部材）
【図１】
2012249546.tif 000003
【図２】
2012249546.tif 000004
【図３】
2012249546.tif 000005
【図４】
2012249546.tif 000006
【図５】
2012249546.tif 000007
【図６】
2012249546.tif 000008
【図７】
2012249546.tif 000009
【図８】
2012249546.tif 000010
【図９】
2012249546.tif 000011